(57)【要約】本発明は、スタート地点からフィニッシュ地点の間における競技イベントランニングタイムを動的に管理する装置に関する。該装置は、競技者が通過すると始動され、通過時間を表す信号を供給するるタイム測定手段（２）と、伝送された信号を変調/復調する手段（３）と、ネットワークを介して変調/復調手段と接続しており、競技イベントランニングタイムを記憶するための手段を設けたデータ取得・記憶手段（４）と、インターネットを介してデータ取得・管理・記憶手段と接続しており、競技者が自己のランニングタイムと、これに適合したトレーニング・プログラムの提案とを遠隔から取得することを可能にする端末手段（５）とを備える。
2005529418.tif 000002
【特許請求の範囲】
【請求項１】
少なくとも一人の競技者の、スタート地点（Ａ）とフィニッシュ地点（Ｂ）の間におけるランニングタイムを対話式に管理するための装置であって：
競技者が通過中に始動され、また、走路に沿った通過時間を表す信号を提供するタイム測定手段（２）を備え；
前記タイム測定手段（２）によって提供された信号の変調/復調（３）手段をさらに備え；
ネットワークにより前記変調/復調手段（３）に接続され、競技者のランニングタイムを記憶する手段を少なくとも有するデータ取得・管理・記憶手段（４）をさらに備え；
インターネット・タイプのネットワークとして、データ取得・管理・記憶手段（４）と接続し、競技者が自己のランニングタイムを遠隔地で確認できる端末手段（５）をさらに備えていることを特徴とする装置。
【請求項２】
競技者の身体的向上を可能にするために、前記データ取得・管理・記憶手段（４）は、前記競技者のランニングタイムを比較する手段を備えていることを特徴とする請求項１に記載の装置。
【請求項３】
前記データ取得・管理・記憶手段（４）は、平均ランニング速度を計算する手段を備えていることを特徴とする請求項１または２に記載の装置。
【請求項４】
前記データ取得・管理・記憶手段（４）は、前記競技者が選択した少なくとも一つの身体的トレーニング・プログラムに関連して、競技者のランニングタイムを評価する手段を備えることを特徴とする請求項１〜３のいずれか一項に記載の装置。
【請求項５】
前記データ取得・管理・記憶手段（４）は、遠隔地での問い合わせのために、競技者によって提供されたコードを記憶および確認する手段を備えていることを特徴とする請求項１〜４のいずれか一項に記載の装置。
【請求項６】
前記コードは、前記データ取得・管理・記憶手段（４）によって決定された期間だけ記憶されることを特徴とする請求項５に記載の装置。
【請求項７】
前記装置は、フィニッシュ地点（Ｂ）付近に設置された、ランニングタイムを迅速に表示するための少なくとも一つのパネルをさらに備えることを特徴とする請求項１〜６のいずれか一項に記載の装置。
【請求項８】
前記タイム測定手段（２）は；
前記競技者が装着する少なくとも一つの識別共振アンテナ（１０）を備え；
前記スタート地点（Ａ）付近において前記共振アンテナの通過を検出する手段（１１）をさらに備え、前記検出手段が、前記データ取得・管理・記憶手段（４）へスタートを送信し；
前記フィニッシュ地点（Ｂ）付近に設置され、所定の周波数にて電磁エネルギーを生成する、少なくとも一つの第一発信/受信ビーコン（１２）をさらに備えており、前記共振アンテナ（１０）が、このアンテナが該フィニッシュ地点（Ｂ）付近を通過中に、前記周波数を、これに特定した変調に従って変調し；さらに、
前記アンテナ（１０）によって変調された周波数の読み取り手段をさらに備え、前記読み取り手段がさらに、フィニッシュ信号を前記データ取得・管理・記憶手段（４）へ送信することを特徴とする請求項１〜７のいずれか一項に記載の装置。
【請求項９】
少なくとも一つの第二発信/受信ビーコン（１４、１５）が、前記競技者の走路の少なくとも一つの中間地点に配置されており、前記データ取得・管理・記憶手段（４）が、中間地点通過時間および/または中間平均速度を提供することを特徴とする請求項８に記載の装置。
【請求項１０】
競技者によって装着される前記識別共振アンテナ（１０）が、決められた期間だけ、検出可能であることを特徴とする請求項８または９のいずれか一項に記載の装置。
【発明の詳細な説明】
【技術分野】
【０００１】
本発明は、少なくとも１人の競技者の、スタート地点とフィニッシュ地点の間におけるランニングタイムを対話式に管理する装置に関する。
【背景技術】
【０００２】
詳細には、走路に沿った競技者のランニングタイムを測定するために、スポーツ予選試合中に設定された装置に、しばしば出くわすことがある。競技者は、フィニッシュ後に、達成したタイムを遠隔地に問い合わせるしかない。彼らは例えば、数日後に同じ走りを繰り返すことはできないし、記録を更新したかどうかを知るために、ランニングタイムを再確認することもできない。
【０００３】
その結果、競技者は、走った走路に沿った自己の成績を、要望に従って自動的に確認することができない。
【発明の開示】
【発明が解決しようとする課題】
【０００４】
本発明の目的は、特に、競技者が希望する時にコースを走ることを可能にし、その時間を遠隔地から自動的に確認することを可能にする、ランニングタイムを管理するための新規の装置を提供することである。
【課題を解決するための手段】
【０００５】
この目的のために、本発明により、少なくとも１人の競技者の、スタート地点とフィニッシュ地点の間におけるランニングタイムを対話式に管理するための装置が、本質的に：
競技者が通過中に始動され、また、走路に沿った通過時間を表す信号を提供するタイム測定手段を備え；
該タイム測定手段によって提供された信号の変調/復調手段をさらに備え；
ネットワークにより該変調/復調手段に接続され、競技者のランニングタイムを記憶する手段を少なくとも有するデータ取得・管理・記憶手段をさらに備え；
インターネット・タイプのネットワークとして、データ取得・管理・記憶手段と接続し、競技者が自己のランニングタイムを遠隔地で確認できるようにすることを目的とした端末手段をさらに備えていることを特徴とする。
【０００６】
或る好ましい方法では、競技者の身体的向上を可能にするために、該データ取得・管理・記憶手段は、該競技者のランニングタイムを比較する手段を備えている。
【０００７】
有利なことに、該データ取得・管理・記憶手段は、平均ランニング速度を計算する手段を備えている。
【０００８】
やはり有利なことに、該データ取得・管理・記憶手段は、該競技者が選択した少なくとも１つの身体的トレーニング・プログラムに関連して、競技者のランニングタイムを評価する手段を備えている。したがって、この装置の手段により、競技者は、所与レベルに到達するために考案された身体的なプログラムを関数として、自己の成績を自動的に確認することが可能になる。
【０００９】
或る好ましい方法では、該データ取得・管理・記憶手段は、競技者によって提供されたコードを、該手段の遠隔的な問い合わせのために記憶および確認する手段を備えている。したがって、各ユーザは、例えば、他の競技者の成績を確認することなく、自分が達成した成績のみを確認することが可能になる。
【００１０】
やはり有利なことに、コードは、該データ取得・管理・記憶手段によって決定された期間だけ記憶される。これにより、この装置は、加入または料金徴収システムのような基準の関数として定義される時間の期間だけアクセス可能となる。
【００１１】
該装置は、フィニッシュ地点付近に設置された、ランニングタイムを即座に表示するための少なくとも１つのパネルをさらに備えていることが好ましい。したがって、競技者は、自己の中間地点時間および/またはランニングタイムを、その場で即座に確認することができる。
【００１２】
好ましくは、該タイム測定手段は；
該競技者が装着する少なくとも１つの識別共振アンテナを備え；
該スタート地点付近において該共振アンテナの通過を検出する手段をさらに備え、該検出手段が、該データ取得・管理・記憶手段へスタートを送信し；
該フィニッシュ地点付近に設置され、所定の周波数にて電磁エネルギーを生成する、少なくとも１つの第１発信/受信ビーコンをさらに備えており、該共振アンテナが、このアンテナが該フィニッシュ地点付近を通過中に、該周波数を、これに特定した変調に従って変調し；さらに、
該アンテナによって変調された周波数の読み取り手段をさらに備え、該読み取り手段がさらに、フィニッシュ信号を該データ取得・管理・記憶手段へ送信する。
【００１３】
或る好ましい方法では、少なくとも１つの第２発信/受信ビーコン（１４、１５）は、該競技者の走路の少なくとも１つの中間地点に配置されており、該データ取得・管理・記憶手段（４）が、中間地点通過時間および/または中間平均速度を提供する。
【００１４】
やはり好ましい方法において、競技者によって装着される識別共振アンテナは、決められた期間だけ検出可能である。
【００１５】
本発明のこれ以外の特徴および利点は、添付の図面と共に、非限定的な例証の方法による、その実施の形態の１例についての記述を追うことにより明白となる。
【発明の効果】
【００１６】
この装置の手段により、競技者は、所与レベルに到達するために考案された身体的なプログラムを関数として、自己の成績を自動的に確認できる。他の競技者の成績を確認することなく、自分が達成した成績のみを確認できる。この装置は、加入または課金システムのような基準の関数として定義される時間の期間だけアクセス可能となる。競技者は、自己の中間地点時間および/またはランニングタイムを、その場で即座に確認することができる。
【発明を実施するための最良の形態】
【００１７】
図１に線図的に示すスタート地点とフィニッシュ地点における、少なくとも１人の競技者のランニングタイムを対話式に管理するための装置１は、この競技者の通過中に始動し、この走路に沿った通過時間を表す信号を提供するタイム測定手段２を備え、タイム測定手段２によって提供された信号を変調/復調する手段３をさらに備え、ネットワークによって変調/復調手段３と接続したデータ取得・管理・記憶手段４をさらに備え、これらの手段は、競技者のランニングタイムを記憶する手段を少なくとも設けており、該装置１はさらに、インターネット・タイプのネットワークとして、データ取得・管理・記憶手段４に接続し、競技者が自己のランニングタイムを遠隔地で確認することを可能にするための端末手段５を備えている。
【００１８】
これ以降では、図２、図３を参照しながら、測定手段２を非限定的な例証によりさらに詳細に記述する。
【００１９】
変調/復調手段３は、電話ネットワークによる従来の手段によって、タイム測定手段２から供給されたタイム測定信号を、取得・管理・記憶手段４へ瞬時に送信する形で、取得・管理・記憶手段４と接続しているため、競技コースを走っている各競技者の通過時間の処理が可能になる。
【００２０】
データ取得・管理・記憶手段４は、本質的に、インターネット・タイプのネットワークとして、小容量のコンピュータの形態で、遠隔地で結果の問い合わせを行える端末手段５と接続可能な中央コンピュータであってよい。したがって、各競技者は、自己を他人に対して評価し、数日前または数ヶ月前に同じ走路で既に達成されている他の成績に対して、自己の記録レベルを再確認することができる。
【００２１】
取得・管理・記憶手段４は、例えば比較手段を設けて、競技者が自己の成績の進歩をタイム測定の走りに対して確認できるようにすることが可能である。さらに、これらの手段は、競技者の平均ランニング速度を計算する手段を備えている。
【００２２】
本発明の或る好ましい形態では、データ取得・管理・記憶手段４は、競技者が選択した少なくとも１つの身体的トレーニング・プログラムに対して、競技者のランニングタイムを評価することで、競技者は、所与の地点において特定の競技レベルを達成することを目的として、身体的トレーニング・プログラムを達成できるようにする手段を確立できる。したがって、競技者は、自分で選択した基準に関連したこの身体的条件を永久的に知ることができるため、この装置は対話式である。達成した成績を関数として、この装置は、例えば向上中の競技者に対して、その競技者が実施すべき運動のタイプを提供することによりアドバイスを行う。
【００２３】
さらにこれにより、各競技者は、所与の日時に、競技状況に熟練した他の競技者達が居ない状態で、競技を開始することが可能になり、また、取得・管理・記憶手段４は、競技者が手段４に遠隔質問を行うために指定しなければならないコードまたはキーを保存および確認する手段を設けることができる。
【００２４】
さらに、このキーに数日間または数ヶ月間の有効期間を設けて、この装置を使用料金徴収式にすることもできる。キーは、例えば競技者が加入権を更新しなければ無効となるものである。
【００２５】
当然ながら、装置へのアクセスは無料であってもよい。その場合は、コードは不要である。
【００２６】
取得・管理・記憶手段４を、競技者の脈拍を測定する手段、または歩数計に接続してもよい。
【００２７】
装置１によって管理される走路は、図２に示すように、スタート地点Ａとフィニッシュ地点Ｂが同じであるループ形状であっても、あるいは、２つの異なる地点の間の走路であってもよい。
【００２８】
走路に沿って設置されたタイム測定手段は、様々な形態のものであってよい。これは、各通過毎に各競技者が装備する必要があるバーコード・システムまたはデジコード・システムであってよい。各々の走者を、多数の走者と区別して個別に識別できるという原理に基づいた、これ以外のタイム測定システムを使用することもできる。タイム測定システムは、自動的または手動によって始動できる。
【００２９】
これらのタイム測定手段は、電子タグとも呼ばれる識別共振アンテナ１０が、少なくとも１つの磁気ループで構成された無線周波数タイプの識別の原理を使用している。検出手段１１は、スタート地点Ａ付近に設置された設備で構成されており、競技者が装着している共振アンテナ１０の通過を検出し；データ取得・管理・記憶手段４へスタート信号を送信する。
【００３０】
発信/受信ビーコン１２がフィニッシュ地点Ｂ付近に設置されており、所定の周波数における電磁エネルギーを生成する。実際には、この周波数は約13 650 MHZである。共振アンテナ１０は、この周波数を、これに指定された変調に従って変調する。読み取り手段１３がこの周波数を読み取り、次に、フィニッシュ信号を取得・管理・記憶手段４へ送信する。
【００３１】
発信/受信ビーコン１２は、例えば、荒れた天候および故意の破壊に耐え得るガントリーの形態を有する。このガントリーは、走路上に、取り外し可能に、または固定形式にて配置することができる。中間地点通過時間を入手するために、ガントリー１２と同一の別のガントリー１４、１５を、走路に沿って配置する。
【００３２】
競技者が装着する共振アンテナ１０は、使い捨て可能、または回収可能であってよく、また、決められた時間、あるいは決められた通過地点の数だけ動作するタグの形態であってよい。
【００３３】
したがって、この装置を用いれば、競技者は、自分で時計を開始および停止でき、さらに、その結果を遠隔操作で知ることができるため、自分が望んだときに走ることが可能になる。競技者の結果は、対話式に向上するために自分が選択した身体的トレーニング・プログラムに統合される。この装置は、マウンテンバイク、サイクリング、ローラスケート、クロスカントリー・スキー、スノーボード、またはこれ以外のロードランニングのような競技に関連した、任意のタイプのランニングに設定することができる。
【００３４】
さらに競技者は、フィニッシュ地点Ｂ付近に設置されたディスプレイパネル１６によって、自分のランニングタイムを現場で即座に知ることができる。同様に、ガントリー１４、１５付近に配置されている中間地点ディスプレイパネルにて、自分の中間地点タイムを確認することも可能である。
【００３５】
したがってこの装置は、言わば、常置してランニングタイムを測定することに関したセルフサービス・タイム測定・システムである。
【００３６】
当然ながら、本発明による装置は、例証の方法により上述した優先的な実施の形態に限定されるものではなく；反対に、添付の請求の範囲に入る全ての応用的実施の形態を包括するものである。
【図面の簡単な説明】
【００３７】
【図１】本発明による装置の基本線図。
【図２】競技走路に沿った装置設定の線図。
【図３】図１、図２に示した装置のタイム測定手段の部分の透視図。
【符号の説明】
【００３８】
１  装置
２  タイム測定手段
３  変調/復調手段
４  データ取得・管理・記憶手段
５  端末手段
１０  共振アンテナ
１１  検出手段
１２  発信／受信ビーコン
１３  読み取り手段
１４、１５  ガントリー
１６  ディスプレイパネル
Ａ  スタート地点
Ｂ  フィニッシュ地点
【図１】
2005529418.tif 000003
【図２】
2005529418.tif 000004
【図３】
2005529418.tif 000005
【国際調査報告】
2005529418.tif 000006
2005529418.tif 000007
2005529418.tif 000008
2005529418.tif 000009
2005529418.tif 000010
2005529418.tif 000011